(57)【要約】【課題】長い平板状のものや大きなパネルを壁などに簡単に且つ強固に取付けられ、しかも、上部に吸着させた物体を水平に安定して支持し、特に液体の入ったコップや食器、花瓶などを水平に支持させることができる連続両面吸盤を提供するものである。【解決手段】軟質のプラスチックでドーム状に成型された複数個の吸盤片４Ａ、４Ｂを、その縁部で一体に連結して吸盤本体１１Ａ、１１Ｂを形成し、この２個の吸盤本体１１Ａ、１１Ｂを、その吸着面５Ａ、５Ｂが互いに外側に向くようにして、対向する各吸盤片４Ａ、４Ｂの中心部をそれぞれ一体に接合した連続両面吸盤１０である。【選択図】図１                                                          
0003104949.tif 000002
【実用新案登録請求の範囲】
【請求項１】
軟質のプラスチックでドーム状に成型された複数個の吸盤片を、その縁部で一体に連結して吸盤本体を形成し、この２個の吸盤本体を、その吸着面が互いに外側に向くようにして、対向する各吸盤片の中心部をそれぞれ一体に接合したことを特徴とする連続両面吸盤。
【請求項２】
吸盤本体が平面長方形または平面正方形状に形成されていることを特徴とする請求項１記載の連続両面吸盤。
【請求項３】
複数の吸盤片が、その中心を同一円周上に配置して一体に連結されていることを特徴とする請求項１記載の連続両面吸盤。
【考案の詳細な説明】
【技術分野】
【０００１】
本考案は、連続両面吸盤に関するものである。
【背景技術】
【０００２】
従来、２個のドーム状をなす吸盤本体の吸着面を互いに外側に向けて、中心部を一体に接合した両面吸盤が開発されている。この両面吸盤は、壁とタンスあるいは棚と花瓶などの間に挟み込んで、互いに吸着させて固定するようになっている。両面吸盤で固定されているものを移動させる時に吸着力が強いと、狭い所に取付けた場合には、外しにくい問題がある。このため両面吸盤の接合面に横穴を開けてここに紐を通して、紐の一端を吸盤の外面に接合し、他端に小さな吸盤を接合して剥離を容易にした両面吸盤（例えば特許文献１）が提案されている。
【０００３】
しかしながら、従来の平面が円形の両面吸盤は、その直径がそれぞれ異なるものが市販されているが、長い平板状のものや大きなパネルを壁などに取付ける場合には、複数個の両面吸盤を間隔をおいて取付けなければならず取付作業が面倒であった。
【０００４】
また図８に示すように両面吸盤１を使用してテーブル２の上に、コップ３を吸着させると、両面吸盤１は軟質のプラスチックで形成された２個のドーム状をなす吸盤片４Ａ、４Ｂの吸着面５Ａ、５Ｂが互いに外側に向けて中心の接合部６で一体に接合されているため、上部の吸盤片４Ａが接合部６を回動中心として自由に傾き、液体７の入ったコップ３を水平に支持することができない欠点があった。
【特許文献１】特開２００１−５６０１４
【考案の開示】
【考案が解決しようとする課題】
【０００５】
本考案は上記問題を改善し、長い平板状のものや大きなパネルを壁などに簡単に且つ強固に取付けられ、しかも、上部に吸着させた物体を水平に安定して支持し、特に液体の入ったコップや食器、花瓶などを水平に支持させることができる連続両面吸盤を提供するものである。
【課題を解決するための手段】
【０００６】
本考案の請求項１記載の連続両面吸盤は、軟質のプラスチックでドーム状に成型された複数個の吸盤片を、その縁部で一体に連結して吸盤本体を形成し、この２個の吸盤本体を、その吸着面が互いに外側に向くようにして、対向する各吸盤片の中心部をそれぞれ一体に接合したことを特徴とするものである。
【０００７】
本考案の請求項２記載の連続両面吸盤は、吸盤本体が平面長方形または平面正方形状に形成されていることを特徴とするものである。更に請求項３記載の連続両面吸盤は、複数の吸盤片が、その中心を同一円周上に配置して一体に連結されていることを特徴とするものである。
【考案の効果】
【０００８】
本考案に係る請求項１記載の連続両面吸盤によれば、１個の連続両面吸盤が複数個の両面吸盤を連結した構成となっているので、取付けが容易であると共に、広い吸着面積で強固に吸着することができる。
【０００９】
また請求項２記載の連続両面吸盤によれば、吸盤本体が平面長方形または平面正方形状に形成されているので、長い平板状のものや大きなパネルを壁などに簡単に且つ強固に取付けることができる。
【００１０】
また請求項３記載の連続両面吸盤によれば、複数の吸盤片が、その中心を同一円周上に配置して一体に連結されているので、コップや花瓶などの底面に取付けることにより底面が同一円周上の複数ヶ所で支持されて、水平に支持することができる。
【考案を実施するための最良の形態】
【００１１】
複数個の両面吸盤を一体に連結した連続両面吸盤を実現した。
【実施例１】
【００１２】
以下、本考案の実施例を図１および図２を参照して詳細に説明する。図において１０は連続両面吸盤を示すもので、これは２個の吸盤本体１１Ａ、１１Ｂをその吸着面５Ａ、５Ｂが互いに外側に向くように組み合わせて一体に成形されている。吸盤本体１１Ａは、軟質のプラスチックで成型された平面正方形状のドーム状をなす３個の吸盤片４Ａを、その側縁部で一体に連結して平面長方形に形成されている。
【００１３】
同様に吸盤本体１１Ｂも、軟質のプラスチックで成型された平面正方形状のドーム状をなす３個の吸盤片４Ｂを、その側縁部で一体に連結して平面長方形に形成されている。２個の吸盤本体１１Ａ、１１Ｂは、対向する各吸盤片４Ａ、４Ｂが、その中心部の接合部６で一体に接合されている。つまり３個の両面吸盤１を連続して一体に連結した構成をなしている。なお１２は各吸盤片４Ａ、４Ｂに突設された剥離つまみ片である。
【００１４】
上記構成の連続両面吸盤１０を用いて、図３に示すように絵や文字を印刷したプラスチックパネル１５をガラス面１６に取付ける場合について説明する。先ずガラス面１６に連続両面吸盤１０の吸盤本体１１Ｂを取付ける。この場合、先ず左側の吸盤片４Ａを指で押して、吸盤片４Ｂの空気を排除して吸着面５Ｂを吸着させる。吸盤片４Ｂは軟質のプラスチックの弾性により復帰しようとして中心部に真空部１３が形成されて強固に吸着する。
【００１５】
次に中間の吸盤片４Ａを指で押して、吸盤片４Ｂの空気を排除して吸着面５Ｂを吸着させる。最後に右側の吸盤片４Ａを指で押して、吸盤片４Ｂの空気を排除して順次片側から吸着させて、連続両面吸盤１０をガラス面１６に取付ける。このようにして、ガラス面１６のプラスチックパネル１５の４隅に対応する位置に連続両面吸盤１０を４個取付ける。
【００１６】
次にプラスチックパネル１５の４隅を連続両面吸盤１０の上に重ねて、左側の吸盤片４Ａに対応する位置を指で押して、吸盤片４Ａの空気を排除して吸着面５Ａを着させる。次に中間の吸盤片４Ａに対応する位置を指で押して、吸盤片４Ａの空気を排除して吸着面５Ａを吸着させ、同様に右側の吸盤片４Ａに対応する位置を指で押して、吸着面５Ａの空気を排除して、順次片側から吸着させていく。
【００１７】
従って１個の連続両面吸盤１０が３個の両面吸盤を帯状に連結した構成となっているので、取付けが容易であると共に、強固に吸着することができる。
【実施例２】
【００１８】
図４は本考案の他の実施例を示すもので、この連続両面吸盤１０は、平面正方形のドーム状をなす４個の吸盤片４Ａを、その側縁部で一体に連結して平面正方形に形成した吸盤本体１１Ａと、同形状の４個の吸盤片４Ｂを、その側縁部で一体に連結して平面正方形に形成した吸盤本体１１Ｂとを、その吸着面５Ａ、５Ｂが互いに外側に向くように組み合わせて、対向する各吸盤片４Ａ、４Ｂを、その中心部の接合部６で一体に接合し、４個の両面吸盤を平面正方形状に一体に連結した構成をなしている。これは広い面積を１個の連続両面吸盤１０で吸着させることができる。このため１個の両面吸盤１で広い吸着面を形成する場合には、大型化するが、本考案の連続両面吸盤１０は薄く形成することができる。
【実施例３】
【００１９】
図５は本考案の他の実施例を示すもので、平面円形の一部を直線状に切除した２個の吸盤片４Ａ１ 、４Ａ１ の間に、平面円形の対向する部分を平行に切除した２個の吸盤片４Ａ２ 、４Ａ２ を配置して、直線部分で一体に連結して吸盤本体１１Ａを形成し、同様に吸盤本体１１Ｂを形成して、これを組み合わせた連続両面吸盤１０である。
【実施例４】
【００２０】
図６は本考案の他の実施例を示すもので、平面円形をなす３個の吸盤片４Ａを、その中心を同一円周上に配置して、吸盤片４Ａの外周接点で一体に連結して吸盤本体１１Ａを形成し、同様に吸盤本体１１Ｂを形成して、これを組み合わせた連続両面吸盤１０である。
【００２１】
これは吸盤本体１１Ｂをテーブル２に吸着させ、上部吸盤本体１１Ａの吸着面５Ａにコップ３を載せて押し付けて吸着させると、コップ３の底面は３か所で支持されているのでコップ３を水平に支持することができる。
【００２２】
この結果、手がコップ３に触れても水平が保持され、内部の液体がこぼれるのを防止することができる。このため幼児や介護を要する人が、食事する時に食器を倒すことがなく安定して支持することができる。またコップ３に限らず、皿などを固定することもでき、トレーに入れて運ぶ時に液体がこぼれることもない。
【実施例５】
【００２３】
図７は本考案の他の実施例を示すもので、平面円形をなす４個の吸盤片４Ａを、その中心を同一円周上に配置して、吸盤片４Ａの外周接点で一体に連結して吸盤本体１１Ａを形成し、同様に吸盤本体１１Ｂを形成して、これを組み合わせた連続両面吸盤１０である。
【００２４】
なお上記説明では、コップ３や皿など食器を固定する場合について示したが、花瓶や小型船舶内の備品などを固定する手段としても利用できる。またテレビや人形ケースの底面の少なくとも３ヶ所を、連続両面吸盤１０で吸着させることにより、テレビや人形ケースを水平に支持できると共に、強力に吸着させて地震の発生時に確実に固定して落下を防止することができる。
【産業上の利用可能性】
【００２５】
また電化製品や機器類などを段ボール箱に入れて輸送する場合にも、電化製品や機器類の周囲を囲むように、複数の連続両面吸盤１０の一方の吸着面５Ａを取付けることにより他方の吸着面５Ｂが段ボール箱の内面に吸着していなくても、軟質のプラスチックの弾性により緩衝作用が働いて安全に輸送することができる。
【００２６】
特に底面に連続両面吸盤１０を取付けることにより電化製品や機器類を強固に保持して輸送することができる。また段ボール箱の底面に連続両面吸盤１０を取付ける場合には、表面が平滑なプラスチックシールを両面テープで接着し、この上に連続両面吸盤１０の吸盤本体４Ｂを取付ければ空気の侵入がなく強固に吸着させることができる。また輸送に使用した後は連続両面吸盤１０を取外すことにより何度でも繰り返して再利用することができ、従来の発泡プラスチックを使用した緩衝材のような廃棄に伴う環境上の問題もない。
【図面の簡単な説明】
【００２７】
【図１】本考案の実施例による連続両面吸盤を示す斜視図である。
【図２】図１の連続両面吸盤を示す断面図である。
【図３】図１の連続両面吸盤を用いてガラス面にプラスチックパネルを取付けた状態を示す断面図である。
【図４】本考案の他の実施例による平面正方形状に形成した連続両面吸盤を示す斜視図である。
【図５】本考案の異なる他の実施例による連続両面吸盤を示す平面図である。
【図６】本考案の他の実施例による３個の両面吸盤を一体に連結した連続両面吸盤を示す斜視図である。
【図７】本考案の他の実施例による４個の両面吸盤を一体に連結した連続両面吸盤を示す斜視図である。
【図８】従来の両面吸盤にコップを支持させた状態を示す正面図である。
【符号の説明】
【００２８】
１      両面吸盤                                            
２      テーブル                                            
３      コップ                                              
４Ａ、４Ｂ  吸盤片                                          
５Ａ、５Ｂ  吸着面                                          
６      接合部                                              
７      液体                                                
１０    連続両面吸盤                                        
１１Ａ、１１Ｂ  吸盤本体                                    
１２    剥離つまみ片                                        
１３    真空部                                              
１５    プラスチックパネル
１６    ガラス面
【図１】
0003104949.tif 000003
【図２】
0003104949.tif 000004
【図３】
0003104949.tif 000005
【図４】
0003104949.tif 000006
【図５】
0003104949.tif 000007
【図６】
0003104949.tif 000008
【図７】
0003104949.tif 000009
【図８】
0003104949.tif 000010